(57)【要約】【課題】眼鏡のつる、ネームプレートなど、首にかけて使用する場合がある軽量物品を保持することができるループタイを提供する。【解決手段】本考案のループタイ１は、本体コード１０と、この本体コード１０の２箇所において摺動可能に取り付けられた留め具２０と、を有しており、本体コード１０の一対の先端にそれぞれ第１装飾具１３が設けられており、本体コード１０の一対の先端から所定の位置に一対のコード分岐部Ａが形成されている。この一対のコード分岐部Ａの各々には、その先端に眼鏡のつる、ネームプレートなど、首にかけて使用する場合がある軽量物品を取り付けるための小物取付具３１と、第１装飾具１３とが設けられている補助コード３０の基端が取り付けられている。小物取付具３１は、補助コード３０に離脱自在に取り付けられている。【選択図】図１
0003130138.tif 000002
【実用新案登録請求の範囲】
【請求項１】
一対の先端にそれぞれ第１装飾具が設けられている本体コードと、この本体コードの首周りの長さを調整するための留め具とを有するループタイであって、
前記本体コードには、一対の先端からの長さが略同一となる中間位置にそれぞれコード分岐部が形成されており、
前記コード分岐部の各々には補助コードの基端が取り付けられており、
前記補助コードの先端には、眼鏡のつる、ネームプレートなど、首にかけて使用する場合がある軽量物品を取り付けるための取付具と、前記第１装飾具またはその第１装飾具と異なる第２装飾具とが設けられており、
前記取付具は、前記補助コードから離脱自在である、
ループタイ。
【請求項２】
一対の先端にそれぞれ第１装飾具が設けられている本体コードと、この本体コードの首周りの長さを調整するための留め具とを有するループタイであって、
前記本体コードには、一対の先端からの長さが略同一となる中間位置にそれぞれコード分岐部が形成されており、
前記コード分岐部の各々には補助コードの基端が取り付けられており、
前記補助コードの先端には、それぞれ取付ユニットが設けられており、
前記取付ユニットは、眼鏡のつる、ネームプレートなど、首にかけて使用する場合がある軽量物品を取り付けるための取付具と、この取付具に前記軽量物品が取り付けられていないときに当該取付具を覆う構造の第３装飾具とを含んで構成される、
ループタイ。
【請求項３】
前記取付ユニットは、前記補助コードの先端から離脱自在に取り付けられている、請求項２記載のループタイ。
【請求項４】
前記補助コードは、前記コード分岐部から離脱自在に取り付けられている、請求項１ないし３のいずれかの項記載のループタイ。
【請求項５】
前記留め具は、前記本体コードに摺動可能に取り付けられた係止部材と、この係止部材に離脱自在に取り付けられている装飾部材とを含む、
請求項１ないし４のいずれかの項記載のループタイ。
【請求項６】
前記本体コードは、一端にそれぞれ前記第１装飾具が設けられている２本の第１コード部材と、前記２本の第１コード部材の他端同士を接続するための第２コード部材とを含み、
前記第１コード部材は、前記留め具を摺動可能な状態で保持するものであり、
前記第１コード部材の他端は、前記第２コード部材に離脱自在に取り付けられており、
前記コード分岐部は、前記第１コード部材と前記第２コード部材との接続部分とで構成される、
請求項１ないし５のいずれかの項記載のループタイ。  
【考案の詳細な説明】
【技術分野】
【０００１】
本考案は、ループタイに関し、より詳しくは、眼鏡のつる、ネームプレートなど、首にかけて使用する場合がある軽量物品を保持できるようにされたループタイに関する。
【背景技術】
【０００２】
首にかけて使用する装飾具の１つとして、留め金具と、この留め金具に摺動可能に通された紐体とからなるループタイが知られている。このループタイは、留め金具に対して紐体を摺動させ、首回りに合った任意の位置で止めて使用するものである。
一方、眼鏡やネームプレート等のように、このループタイと同じく首にかけて使用する場合があるものが存在する。これらを首にかけて使用するには、通常、首にかけるための眼鏡コードや紐状の部材にこれらを取り付けて使用する。
【０００３】
眼鏡を取り付けた眼鏡コード等をループタイと共に首にかけた場合、ループタイが隠れてしまったり、双方の紐の色や材質が調和しなかったりして、ループタイのファッション性が損なわれてしまうことがある。
【考案の開示】
【考案が解決しようとする課題】
【０００４】
この点、眼鏡やネームプレートをループタイ自体に取り付けるようにできれば、首にかける紐はループタイの紐体一本だけとなり、ループタイのファッション性を損なわずに眼鏡等を取り付けることができる。
本考案はこの点に着目し、眼鏡のつる、ネームプレートなど、首にかけて使用する場合がある軽量物品を取り付けることができるループタイを提供することを課題とするものである。
【課題を解決するための手段】
【０００５】
本考案者は、上述の課題を解決するループタイを提供する。
本考案のループタイは、一対の先端にそれぞれ第１装飾具が設けられている本体コードと、この本体コードの首周りの長さを調整するための留め具とを有するループタイであって、前記本体コードには、一対の先端からの長さが略同一となる中間位置にそれぞれコード分岐部が形成されており、前記コード分岐部の各々には補助コードの基端が取り付けられており、前記補助コードの先端には、眼鏡のつる、ネームプレートなど、首にかけて使用する場合がある軽量物品を取り付けるための取付具と、前記第１装飾具またはその第１装飾具と異なる第２装飾具とが設けられており、前記取付具は、前記補助コードから離脱自在である。
本考案のループタイの本体コードには、その先端に軽量物品を取り付けるための取付具が設けられている補助コードが取り付けられている。すなわち、軽量物品をループタイ自体に取り付けることができるような構成となっているので、首にかける紐体を一本のみにすることができ、ループタイのファッション性を損なわずに軽量物品を取り付けることができる。
また、取付具が補助コードの先端から取り外せるようになっているので、本考案のループタイに軽量物品を取り付けずに単なるループタイとして使用する場合、機能的な部材である取付具を取り外すことができる。取付具を取り外した場合、第１装飾具または第２装飾具のみが補助コードの先端に取り付けられている状態となり、補助コードをファッション性を高める飾りとすることができるので、ループタイのファッション性を高めることができる。
なお、取付具のみならず、第１装飾具または第２装飾具も、補助コードの先端から取り外せるようになっていてもよい。こうすれば、適宜第１装飾具または第２装飾具を付け替えることができ、よりファッション性を高めることができる。
【０００６】
また、本考案者が提供する他のループタイは、一対の先端にそれぞれ第１装飾具が設けられている本体コードと、この本体コードの首周りの長さを調整するための留め具とを有するループタイであって、前記本体コードには、一対の先端からの長さが略同一となる中間位置にそれぞれコード分岐部が形成されており、前記コード分岐部の各々には補助コードの基端が取り付けられており、前記補助コードの先端には、それぞれ取付ユニットが設けられており、前記取付ユニットは、眼鏡のつる、ネームプレートなど、首にかけて使用する場合がある軽量物品を取り付けるための取付具と、この取付具に前記軽量物品が取り付けられていないときに当該取付具を覆う構造の第３装飾具とを含んで構成される。
このループタイの取付ユニットは、軽量物品を取り付けるための取付具の他に、取付具に軽量物品が取り付けられていないときに当該取付具を覆う構造の第３装飾具を有しているので、本考案のループタイに軽量物品を取り付けず、単なるループタイとして使用する場合に、機能的な部材である取付具を外部から視認できないようにすることができるようになっており、ファッション性を高めることができる。
【０００７】
前記取付ユニットは、前記補助コードの先端から離脱自在に取り付けられていてもよい。こうすれば、取り付ける軽量物品の取付部分の形状に応じた取付ユニットに付け替えることができる。
【０００８】
前記補助コードは、前記コード分岐部から離脱自在に取り付けられているようにしてもよい。こうすれば、必要に応じて本体コードから補助コードを取り外すことができ、補助コードを取り外した状態で使用することもできる。また、その先端に設けられている第１装飾具が異なる複数の補助コードを予め用意しておけば、適宜補助コードを付け替えたりすることもでき、よりファッション性を高めることができる。
【０００９】
前記留め具は、前記本体コードに摺動可能に取り付けられた係止部材と、この係止部材に離脱自在に取り付けられている装飾部材とを含んでいてもよい。複数の装飾部材を予め用意しておけば、適宜装飾部材を付け替えたりすることもでき、よりファッション性を高めることができる。装飾部材、第１装飾具、第２装飾具、そして第３装飾具のデザインを合わせることもできる。
【００１０】
前記本体コードは、一端にそれぞれ前記第１装飾具が設けられている２本の第１コード部材と、前記２本の第１コード部材の他端同士を接続するための第２コード部材とを含み、前記第１コード部材は、前記留め具を摺動可能な状態で保持するものであり、前記第１コード部材の他端は、前記第２コード部材に離脱自在に取り付けられており、前記コード分岐部は、前記第１コード部材と前記第２コード部材との接続部分とで構成されていてもよい。すなわち、２本の第１コード部材と留め具とが一体とされた構成としてもよい。
【考案の効果】
【００１１】
本考案によれば、眼鏡のつる、ネームプレートなど、首にかけて使用する場合がある軽量物品を保持することができるループタイを提供することができる。
【考案を実施するための最良の形態】
【００１２】
以下、本考案のループタイの好ましい実施形態を、図面を参照しながら説明する。
【００１３】
図１は、本実施形態のループタイ１の構成を示す図である。
この図に示すように、ループタイ１は、本体コード１０、留め具２０、および２本の補助コード３０を有する。
【００１４】
本体コード１０は、２本の第１コード部材１１と、この２本の第１コード部材同士を接続するための第２コード部材１２と、からなる。この本体コード１０は、本実施形態では金属製のコードであるものとして説明するが、これに限られず、どのような素材により構成されていてもよい。
【００１５】
第２コード部材１２は、図２に示すように、その両端に固着具１２１が固着されており、この固着具１２１の先端にはフック金具１２２が取り付けられている。
固着具１２１は、第２コード部材１２の端部を収容できる大きさの、底を有する筒状形状の部材であり、その内側に第２コード部材１２の端部を収容した状態で第２コード部材１２に固着されている。この固着具１２１の底部の外側には、フック金具１２２と連結させるためのリング状の突出部１２１ａが成形されており、フック金具１２２が取り付けられている。
【００１６】
各第１コード部材１１は、図３に示すように、その両端に固着具１１１が固着されており、この固着具１１１の先端にはリング状の連結金具１１２が取り付けられている。固着具１１１は、第２コード部材１２に固着されている固着具１２１と同じ構成の部材であり、固着具１１１の底部の外側には、連結金具１１２と連結させるためのリング状の突出部１１１ａが成形されている。
各第１コード部材１１の一端には、連結金具１１２を介して第１装飾具１３が取り付けられている。第１装飾具１３は、どのような形状のものであってもよいが、本実施形態ではハート型に成型された装飾具である。
また、各第１コード部材１１の他端は、連結金具１１２を介して第２コード部材１２のフック金具１２２に離脱自在に接続されている。この２本の第１コード部材１１のそれぞれと、第２コード部材１２とが接続されている接続部分Ａは、本考案のコード分岐部に相当する。
【００１７】
留め具２０は、使用時に飾りとなる飾り具であり、２つの第１コード部材１１が摺動可能に取り付けられたコード取付具２００（図４に示される）と、このコード取付具に取り付けられている装飾部材２２０と、を有する。
図１に示すように、この装飾部材２２０は、本実施形態では、ハート型に成形された金属製のものとして説明するが、これに限られず、どのような材質、形状であってもよい。
図４は、装飾部材２２０の裏側（ループタイ１を使用する際、使用者の体の近い側）を示す図であり、装飾部材２２０が２つの第１コード部材１１に摺動可能に取り付けられている状態を示している。
この図に示すように、装飾部材２２０の裏側には、コード取付具２００が固着されており、このコード取付具２００は、２つの第１コード部材１１に摺動可能に取り付けられている。
すなわち、可撓性を有する筒部材２１０に通された状態の第１コード部材１１が、この筒部材２１０を介してコード取付具２００により挟み込まれた構造となっている。すなわち、２本の第１コード部材と留め具２０とが一体とされた構成となっている。
可撓性を有する筒部材２１０は、その内径が第１コード部材１１の約２倍程度とされた部材であり、本実施形態では、樹脂により形成されている。
本実施形態では、コード取付具２００が、このような筒部材２１０を介して２つの第１コード部材１１を挟み込んだ構造となっているので、留め具２０を押さえた状態で、図４における第１コード部材１１を上側に引っ張れば上側に、下側に引っ張れば下側に摺動させることができる。
【００１８】
２本の補助コード３０は、図５に示すように、第１コード部材１１と同様、その両端に固着具３０１が固着されており、この固着具３０１の一方の先端にはリング状の連結金具３０３を介してフック金具３０２が、他方の先端にはリング状の連結金具３０３が取り付けられている。固着具３０１は、第１コード部材１１に固着されている固着具１１１と同じ構成の部材であり、固着具３０１の底部の外側には、連結金具３０２と連結させるためのリング状の突出部３０１ａが成形されている。
【００１９】
各補助コード３０の一端には、図１に示すように、連結金具３０２を介して第１装飾具１３と、小物取付具３１とが取り付けられている。
小物取付具３１は、眼鏡のつる、ネームプレートなど、首にかけて使用する場合がある軽量物品を取り付けるための取付具であり、図６（ａ）に示すように、把持具３１１と、リング３１２と、からなる。把持具３１１は、図６（ｂ）に示すように、略球状に形成され、その中央に貫通孔３１１ａが形成されている。また、リング３１２は、図６（ｃ）に示すように、可撓性または伸縮性を有する部材、例えばゴムにより形成されている。
このリング３１２を貫通孔３１１ａに挿入して貫通させることによって、図６（ａ）に示すように、把持具３１１の両側には、貫通孔３１１ａからリング３１２が突出した部分によりループ３１３およびループ３１４が形成されている。
ループ３１３は、小物に取り付ける際に使用され、ループ３１４は、連結金具３０２と連結させる際に使用される。
ループ３１３およびループ３１４の大きさは、使用者が、把持具３１１を把持しながらリング３１２に沿って摺動させて、それぞれのループ３１３および３１４の突出量を変化させることにより調節できるようになっており、２つのループのうちの一方を、その突出量を増加させることにより長くすると、ループの他方は、その増加させた突出量分だけ短くなるように構成されている。
この小物取付具３１のループ３１４にフック金具３０２を引っかけることにより、小物取付具３１はフック金具３０２に離脱自在に接続されている。すなわち、補助コード３０は、接続部分Ａにおいて本体コード１０に取り付けられている。
【００２０】
また、各第１コード部材１１の他端は、連結金具３０３を介して第２コード部材１２のフック金具１２２に離脱自在に接続されている。
【００２１】
以下、本実施形態のループタイ１の使用方法について説明する。
まず、留め具２０を第１コード部材１１の一端側に摺動させて、本体コード１０のループを大きくし、本体コード１０を使用者の首にかける。次に、使用者の首回りに合った任意の位置まで留め具２０を第１コード部材１１の他端側に摺動させる。こうすることで、ループタイ１を使用者の首にかけることができる。
【００２２】
補助コード３０の先端の小物取付具３１に小物を取り付けて使用する場合、以下のようにして、小物取付具３１に小物を取り付ける。以下、取り付ける小物が眼鏡である場合を例にあげて説明する。
図７に示すように、小物取付具３１を眼鏡テンプル７０に取り付ける際には、ループ３１３にテンプル７０を貫通させて、テンプル７０の任意の位置で、使用者が、把持具３１１を把持し、これをリング３１２に沿ってテンプル７０側に摺動させて、ループ３１３の大きさを小さくすることにより、ループ３１３をテンプル７０に締め付ける。
このように、本実施形態のループタイ１によれば、眼鏡のような軽量物品をループタイ自体に取り付けることができるので、首にかける紐体を一本のみにすることができ、ループタイのファッション性を損なわずに軽量物品を保持することができる。
なお、小物取付具３１をテンプル７０から取り外す際には、使用者が、把持具３１１を把持し、これをループ３１４側に摺動させて、ループ３１３の大きさを大きくすることにより、ループ３１３を緩めればよい。
【００２３】
一方、単なるループタイとしてループタイ１を使用する場合、補助コード３０の先端に小物取付具３１が取り付けられている状態で使用してもよいが、補助コード３０の先端から小物取付具３１を取り外して使用してもよい。
こうすれば、機能的な部材である小物取付具３１が取り外され、補助コード３０の先端には第１装飾具１３のみが取り付けられている状態となり、補助コード３０を、ファッション性を高める飾りとすることができるので、ループタイのファッション性を高めることができる。また、補助コード３０を本体コード１０から取り外して使用してもよい。
【００２４】
さらに、本実施形態のループタイ１は、補助コード３０が本体コード１０から、第１コード部材１１が第２コード部材１２から離脱自在に構成されており、必要に応じて補助コード３０や第１コード部材１１を取り外すことができるので、その先端に設けられている第１装飾具１３や、留め具２０（装飾部材２２０）のデザインが異なる複数の補助コード３０や第１コード部材１１を予め用意しておくことにより、適宜これらを付け替えたりすることもでき、よりファッション性を高めることができる。
また、本実施形態のループタイ１は、小物取付具３１のみならず、第１装飾具１３も、補助コード３０の先端から取り外せるようになっているので、デザインが異なる複数の第１装飾具１３を予め用意しておくことにより、適宜これらを付け替えることができ、よりファッション性を高めることができる。
また、上述のように、補助コード３０の先端から小物取付具３１を取り外すことができるようになっているので、形状の異なる複数の小物取付具を予め用意しておくことにより、取り付けようとする軽量物品の形状に適した小物取付具に付け替えることができる。
【００２５】
以上の実施形態では、補助コード３０が本体コード１０から、第１コード部材１１が第２コード部材１２から、離脱自在に構成されているものとして説明したが、本体コード１０と補助コード３０、第１コード部材と第２コード部材１２は、取り外せないように接続されていてもよい。
また、以上の実施形態では、各補助コード３０の一端に取り付けられる装飾具は、第１装飾具１３であるものとして説明したが、これに限られず、第１装飾具１３とは異なる装飾具が取り付けられていてもよい。
また、本実施形態の装飾部材２２０の裏側には、第１コード部材１１が摺動可能に取り付けられているコード取付具２００に固着されているものとして説明するが、装飾部材２２０はコード取付具２００に離脱自在に取り付けられていてもよい。こうすれば、デザインが異なる複数の装飾部材２２０を予め用意しておくことにより、適宜これらを付け替えることができ、よりファッション性を高めることができる。
【００２６】
また、各補助コード３０の一端に、第１装飾具１３の代わりに、図８に示すような第２装飾具１４を取り付けてもよい。
この第２装飾具１４は、ヒンジ接続された表面１４Ａと裏面１４Ｂとからなり、開閉可能に構成されている。この第２装飾具１４は、図８（ａ）（ｂ）に示すように、小物取付具３１をその内部に収容することができる程度の空間をその内部に有している。
このような第２装飾具１４が先端に取り付けられている補助コード３０によれば、小物取付具３１に軽量物品が取り付けられていないとき、小物取付具３１の内部に収容することにより覆うことができ、機能的な部材である小物取付具３１を外部から視認できないようにすることができるようになっており、ファッション性を高めることができる。
なお、第２装飾具１４および小物取付具３１は、図８に示すように補助コード３０に一体的に取り付けてもよいし、フック部材を用いて離脱自在に取り付けてもよい。こうすれば、デザインが異なる複数の第２装飾具１４を予め用意しておくことにより、適宜これらを付け替えることができ、よりファッション性を高めることができる。また、形状の異なる複数の小物取付具を予め用意しておくことにより、取り付けようとする軽量物品の形状に適した小物取付具に付け替えることができる。
【図面の簡単な説明】
【００２７】
【図１】本実施形態のループタイの構成を示す図。
【図２】第２コード部材の一端部の構成を示す図。
【図３】第１コード部材の一端部の構成を示す図。
【図４】留め具の裏側の構成を示す図。
【図５】補助コードの端部の構成を示す図。
【図６】（ａ）は小物取付具を示す図であり、（ｂ）は把持具を示す図であり、（ｃ）はリングを示す図。
【図７】小物取付具を、眼鏡のテンプルに取り付けた状態を示す図。
【図８】（ａ）は第２装飾具に小物取付具を収納している状態を示す図であり、（ｂ）は第２装飾具に小物取付具を収納した状態を示す図。
【符号の説明】
【００２８】
１  ループタイ
１０  本体コード
１１  第１コード部材
１２  第２コード部材
１３  第１装飾具
１４  第２装飾具
２０  留め具
３０  補助コード
３１  小物取付具
７０  眼鏡のテンプル
【図１】
0003130138.tif 000003
【図２】
0003130138.tif 000004
【図３】
0003130138.tif 000005
【図４】
0003130138.tif 000006
【図５】
0003130138.tif 000007
【図６】
0003130138.tif 000008
【図７】
0003130138.tif 000009
【図８】
0003130138.tif 000010